(57)【要約】  複数本の渡り部（２０）には、第１渡り部（２０ａ）と、外側部分（３３）を備える第２渡り部（２０ｂ）と、コアに対して第２渡り部（２０ｂ）が配置される側とは軸方向（Ｌ）の反対側に配置されて、内側部分（３４）を備える第３渡り部（２０ｃ）とが含まれる。コイル（１）は、第１渡り部（２０ａ）の少なくとも一部を有する第１セグメント導体（１０ａ）と、第２渡り部（２０ｂ）の少なくとも外側部分（３３）を有する第２セグメント導体（１０ｂ）と、第３渡り部（２０ｃ）の少なくとも内側部分（３４）を有する第３セグメント導体（１０ｃ）とを接合して構成されている。
2019065460.tif 000002
【特許請求の範囲】
【請求項１】
軸方向に延びるスロットが周方向に複数形成されているコアに巻装されるコイルであって、
前記スロット内にそれぞれ配置される複数本のスロット収容部と、互いに異なる前記スロット内に配置される一対の前記スロット収容部である第１スロット収容部と第２スロット収容部とを、前記コアに対して前記軸方向の外側でそれぞれ接続する複数本の渡り部と、を備え、
複数本の前記渡り部には、互いに径方向に隣接する層に配置される前記第１スロット収容部と前記第２スロット収容部とを接続する第１渡り部と、前記径方向の最も外側の層にそれぞれ配置される前記第１スロット収容部と前記第２スロット収容部とを接続する第２渡り部と、前記コアに対して第２渡り部が配置される側とは前記軸方向の反対側に配置されて、前記径方向の最も内側の層にそれぞれ配置される前記第１スロット収容部と前記第２スロット収容部とを接続する第３渡り部とが含まれ、
前記第１渡り部は、前記第１スロット収容部に対応する前記径方向の位置に配置される部分と、前記第２スロット収容部に対応する前記径方向の位置に配置される部分と、を備え、
前記第２渡り部は、前記第１スロット収容部に対応する前記径方向の位置に配置される部分と、前記第１スロット収容部に対応する前記径方向の位置及び前記第２スロット収容部に対応する前記径方向の位置よりも前記径方向の外側に配置される外側部分と、前記第２スロット収容部に対応する前記径方向の位置に配置される部分と、を備え、
前記第３渡り部は、前記第１スロット収容部に対応する前記径方向の位置に配置される部分と、前記第１スロット収容部に対応する前記径方向の位置及び前記第２スロット収容部に対応する前記径方向の位置よりも前記径方向の内側に配置される内側部分と、前記第２スロット収容部に対応する前記径方向の位置に配置される部分と、を備え、
前記第１渡り部の少なくとも一部を有する第１セグメント導体と、前記第２渡り部の少なくとも前記外側部分を有する第２セグメント導体と、前記第３渡り部の少なくとも前記内側部分を有する第３セグメント導体とを接合して構成されている、コイル。
【請求項２】
前記第１セグメント導体、前記第２セグメント導体、及び前記第３セグメント導体のそれぞれが、２本以下の前記スロット収容部を有している、請求項１に記載のコイル。
【請求項３】
前記第１セグメント導体は、前記第１渡り部における前記周方向に延びる周方向延在部の全体を有し、
前記第２セグメント導体は、前記第２渡り部における前記周方向に延びる周方向延在部の全体を有し、
前記第３セグメント導体は、前記第３渡り部における前記周方向に延びる周方向延在部の全体を有し、
前記軸方向における前記コアに対して前記第３渡り部が配置される側を軸方向第１側とし、前記軸方向第１側とは反対側を軸方向第２側として、
前記コアに対して前記軸方向第１側に配置される前記第１渡り部の前記周方向延在部を有する前記第１セグメント導体と、前記コアに対して前記軸方向第２側に配置される前記第１渡り部の前記周方向延在部を有する前記第１セグメント導体とが接合され、
前記コアに対して前記軸方向第１側に配置される前記第１渡り部の前記周方向延在部を有する前記第１セグメント導体と、前記第２セグメント導体とが接合され、
前記コアに対して前記軸方向第２側に配置される前記第１渡り部の前記周方向延在部を有する前記第１セグメント導体と、前記第３セグメント導体とが接合されている、請求項１又は２に記載のコイル。
【請求項４】
少なくとも互いに異なる前記第１セグメント導体同士が、前記スロット内で接合されている、請求項１から３のいずれか一項に記載のコイル。
【請求項５】
前記第１セグメント導体、前記第２セグメント導体、及び前記第３セグメント導体を含むセグメント導体のそれぞれは、２本の前記スロット収容部と、前記コアに対して前記軸方向の一方側である軸方向第１側に配置されて２本の前記スロット収容部を接続する前記渡り部と、２本の前記スロット収容部のそれぞれから延びて前記コアに対して前記軸方向第１側とは反対側である軸方向第２側に配置される延出部と、を有し、
前記コアに対して前記軸方向第２側に配置される前記渡り部が、互いに異なる前記セグメント導体の前記延出部同士を接合して形成されている、請求項１又は２に記載のコイル。
【請求項６】
前記第２渡り部の全体が前記第２セグメント導体に含まれると共に、前記第３渡り部が、前記第１セグメント導体の前記延出部と前記第３セグメント導体の前記延出部とが接合して形成されており、又は、
前記第３渡り部の全体が前記第３セグメント導体に含まれると共に、前記第２渡り部が、前記第１セグメント導体の前記延出部と前記第２セグメント導体の前記延出部とが接合して形成されている、請求項５に記載のコイル。
【請求項７】
１つの前記スロット内において前記径方向に並んで配置される前記スロット収容部の本数が、３以上の奇数である、請求項１から６のいずれか一項に記載のコイル。
【請求項８】
前記第１セグメント導体、前記第２セグメント導体、及び前記第３セグメント導体のそれぞれが、延在方向に直交する断面の形状が矩形状の線状導体である、請求項１から７のいずれか一項に記載のコイル。
【発明の詳細な説明】
【技術分野】
【０００１】
本発明は、軸方向に延びるスロットが周方向に複数形成されているコアに巻装されるコイルに関する。
【背景技術】
【０００２】
上記のようなコイルの一例が、特開２０１６−１２３２４９号公報（特許文献１）に記載されている。特許文献１には、一対のスロット間に複数回巻回される同芯巻部（カセットコイル）を複数用いて、コイルを形成する技術が記載されている。具体的には、特許文献１に記載の技術では、第１同芯巻部と、当該第１同芯巻部に比べて巻数が１つ少ない第２同芯巻部との２種類の同芯巻部を用いてコイルを形成している。コイルが用いられる回転電機の特性を所望のものとするために、１つのスロット内において径方向に並んで配置されるスロット収容部の本数を奇数とすることが望ましい場合があるが、特許文献１に記載の技術では、上記のようにコイルを形成することで、このような要求を満たすことを可能としている。【０００３】
ところで、このように複数の同芯巻部を用いてコイルを形成する場合、コイルのコアへの巻装は、例えば、コアに対して径方向の内側に配置された複数の同芯巻部を径方向の外側に放射状に押し出して、各同芯巻部のスロット収容部をスロットに対して径方向の内側から挿入することで行われる。この挿入の過程で、同芯巻部のそれぞれは、各同芯巻部の一対のスロット収容部の周方向の間隔が変化するように変形させる必要がある。そのため、このような巻装方法では、スロット収容部のそれぞれをスロット内の所定の層に配置するのが容易ではない。また、このような巻装方法では、スロットの形状を、開口部における周方向幅がスロットの内部における周方向幅と同じ形状（フルオープンスロット形状）とする必要がある等、スロットの形状についての自由度が低くなりやすい。【０００４】
これらの問題を解決するために、複数のセグメント導体を用いてコイルを形成することが考えられる。例えば特開２０１５−２３７７１号公報（特許文献２）や特開２０１７−３４８６０号公報（特許文献３）には、複数のセグメント導体を用いてコイルを形成する技術が記載されている。しかしながら、特許文献２や特許文献３に記載の技術では、特許文献２の図６や特許文献３の図２２に示されるように、１つのスロット内において径方向に並んで配置されるスロット収容部の本数は偶数となり、この本数を奇数とすることはできない。
【先行技術文献】
【特許文献】
【０００５】
【特許文献１】特開２０１６−１２３２４９号公報
【特許文献２】特開２０１５−２３７７１号公報
【特許文献３】特開２０１７−３４８６０号公報
【発明の概要】
【発明が解決しようとする課題】
【０００６】
そこで、１つのスロット内において径方向に並んで配置されるスロット収容部の本数が奇数のコイルを、複数のセグメント導体を用いて適切に形成することが可能な技術の実現が望まれる。
【課題を解決するための手段】
【０００７】
上記に鑑みた、軸方向に延びるスロットが周方向に複数形成されているコアに巻装されるコイルの特徴構成は、前記スロット内にそれぞれ配置される複数本のスロット収容部と、互いに異なる前記スロット内に配置される一対の前記スロット収容部である第１スロット収容部と第２スロット収容部とを、前記コアに対して前記軸方向の外側でそれぞれ接続する複数本の渡り部と、を備え、複数本の前記渡り部には、互いに径方向に隣接する層に配置される前記第１スロット収容部と前記第２スロット収容部とを接続する第１渡り部と、前記径方向の最も外側の層にそれぞれ配置される前記第１スロット収容部と前記第２スロット収容部とを接続する第２渡り部と、前記コアに対して第２渡り部が配置される側とは前記軸方向の反対側に配置されて、前記径方向の最も内側の層にそれぞれ配置される前記第１スロット収容部と前記第２スロット収容部とを接続する第３渡り部とが含まれ、前記第１渡り部は、前記第１スロット収容部に対応する前記径方向の位置に配置される部分と、前記第２スロット収容部に対応する前記径方向の位置に配置される部分と、を備え、前記第２渡り部は、前記第１スロット収容部に対応する前記径方向の位置に配置される部分と、前記第１スロット収容部に対応する前記径方向の位置及び前記第２スロット収容部に対応する前記径方向の位置よりも前記径方向の外側に配置される外側部分と、前記第２スロット収容部に対応する前記径方向の位置に配置される部分と、を備え、前記第３渡り部は、前記第１スロット収容部に対応する前記径方向の位置に配置される部分と、前記第１スロット収容部に対応する前記径方向の位置及び前記第２スロット収容部に対応する前記径方向の位置よりも前記径方向の内側に配置される内側部分と、前記第２スロット収容部に対応する前記径方向の位置に配置される部分と、を備え、前記第１渡り部の少なくとも一部を有する第１セグメント導体と、前記第２渡り部の少なくとも前記外側部分を有する第２セグメント導体と、前記第３渡り部の少なくとも前記内側部分を有する第３セグメント導体とを接合して構成されている点にある。【０００８】
上記の特徴構成によれば、径方向の最も外側の層（すなわち、最外層）にそれぞれ配置される一対のスロット収容部を接続する第２渡り部と、径方向の最も内側の層（すなわち、最内層）にそれぞれ配置される一対のスロット収容部を接続する第３渡り部とが、コアに対して軸方向の互いに反対側に配置される。よって、１つのスロット内において径方向に並んで配置されるスロット収容部の本数が奇数のコイルを実現することができる。
なお、上記の特徴構成によれば、第２渡り部が外側部分を備えるため、複数本の第２渡り部を、互いの干渉を回避しつつそれぞれの周方向の配置領域を一部重複させて配置することができる。また、第３渡り部が内側部分を備えるため、複数本の第３渡り部を、互いの干渉を回避しつつそれぞれの周方向の配置領域を一部重複させて配置することができる。よって、複数本の第２渡り部及び複数本の第３渡り部を備えるコイルを適切に形成することができる。
その上で、上記の特徴構成によれば、コイルが、第１渡り部の少なくとも一部を有する第１セグメント導体と、第２渡り部の少なくとも外側部分を有する第２セグメント導体と、第３渡り部の少なくとも内側部分を有する第３セグメント導体とを接合して構成される。すなわち、１つのスロット内において径方向に並んで配置されるスロット収容部の本数が奇数のコイルを適切に形成するためには、コアに対して軸方向の互いに反対側に配置される外側部分と内側部分とが必要となるが、これらの外側部分と内側部分とが互いに異なるセグメント導体に設けられた構成とすることができる。よって、セグメント導体のそれぞれのコアへの配置の容易性を適切に確保しつつ、上記の本数が奇数のコイルを実現することができる。
以上のように、上記の特徴構成によれば、１つのスロット内において径方向に並んで配置されるスロット収容部の本数が奇数のコイルを、複数のセグメント導体を用いて適切に形成することが可能となる。【０００９】
コイルの更なる特徴と利点は、図面を参照して説明する実施形態についての以下の記載から明確となる。
【図面の簡単な説明】
【００１０】
【図１】第１の実施形態に係るコイルの斜視図
【図２】第１の実施形態に係るステータの一部の軸方向に直交する断面図
【図３】第１の実施形態に係るステータの一部の軸方向に沿った断面図
【図４】第１の実施形態に係る第１セグメント導体を示す図
【図５】第１の実施形態に係る別の第１セグメント導体を示す図
【図６】第１の実施形態に係る第２セグメント導体を示す図
【図７】第１の実施形態に係る第３セグメント導体を示す図
【図８】第１の実施形態に係るコイルの配線図
【図９】第２の実施形態に係る第１セグメント導体を示す図
【図１０】第２の実施形態に係る第２セグメント導体を示す図
【図１１】第２の実施形態に係る第３セグメント導体を示す図
【図１２】第３の実施形態に係る第１セグメント導体を示す図
【図１３】第３の実施形態に係る別の第１セグメント導体を示す図
【図１４】第３の実施形態に係る第２セグメント導体を示す図
【図１５】第３の実施形態に係る第３セグメント導体を示す図
【発明を実施するための形態】
【００１１】
〔第１の実施形態〕
コイルの第１の実施形態について、図１〜図８を参照して説明する。以下の説明では、「軸方向Ｌ」、「径方向Ｒ」、及び「周方向Ｃ」は、コイル１が巻装されるコア９０（図２及び図３参照）の軸心（円筒状の内周面９０ｂ又は円筒状の外周面９０ａの軸心）を基準として定義している。すなわち、コア９０の内周面９０ｂ又は外周面９０ａは、各方向の基準となる面（コア基準面）である。そして、図１に示すように、軸方向Ｌの一方側（本実施形態では、軸方向Ｌにおけるコア９０に対して第３渡り部２０ｃが配置される側）を軸方向第１側Ｌ１とし、軸方向Ｌの他方側（軸方向第１側Ｌ１とは反対側）を軸方向第２側Ｌ２としている。また、周方向Ｃの一方側（本実施形態では、コア９０を軸方向第２側Ｌ２から見た場合の時計回り方向側）を周方向第１側Ｃ１とし、周方向Ｃの他方側（周方向第１側Ｃ１とは反対側）を周方向第２側Ｃ２としている。以下の説明では、コイル１についての各方向は、コイル１がコア９０に巻装された状態での方向である。
【００１２】
本明細書では、部材の形状に関して「ある方向に延びる」とは、当該方向を基準方向として、部材の延在方向が当該基準方向に平行な形状に限らず、部材の延在方向が当該基準方向に交差する方向であっても、その交差角度が所定範囲内（例えば、４５度未満）である形状も含む概念として用いている。また、本明細書では、寸法、配置方向、及び配置位置等に関する用語（例えば、「平行」等）は、誤差（製造上許容され得る程度の誤差）による差異を有する状態も含む概念として用いている。
【００１３】
図２及び図３に示すように、コイル１は、軸方向Ｌに延びるスロット９１が周方向Ｃに複数形成されているコア９０に巻装される。本実施形態では、コア９０は、回転界磁型の回転電機のステータ９に用いられる。すなわち、コイル１の巻装対象のコア９０は、ステータ９のコア（ステータコア）であり、また、電機子コアである。このように、本実施形態では、コイル１は、ステータコアに巻装されるコイルである。また、本実施形態では、コイル１は、電機子コアに巻装される電機子コイルである。コア９０は、磁性材料を用いて形成される。例えば、複数枚の磁性体板（例えば、ケイ素鋼板等の電磁鋼板）を積層してコア９０が形成され、或いは、磁性材料の粉体を加圧成形してなる圧粉材を主な構成要素としてコア９０が形成される。コア９０は、円筒状に形成されている。なお、本明細書では、「回転電機」は、モータ（電動機）、ジェネレータ（発電機）、及び必要に応じてモータ及びジェネレータの双方の機能を果たすモータ・ジェネレータのいずれをも含む概念として用いている。
【００１４】
図２に示すように、コア９０に形成されるスロット９１のそれぞれは、径方向Ｒにおけるロータ（図示せず）が配置される側に開口部（径方向開口部）を有している。本実施形態では、コア９０は、インナロータ型の回転電機に用いられるステータコアであり、スロット９１のそれぞれは、径方向Ｒの内側（径方向内側Ｒ１）に径方向開口部を有している。本実施形態では、スロット９１のそれぞれは、径方向Ｒに平行に延びるように形成されている。また、本実施形態では、スロット９１のそれぞれにおける少なくともコイル１（後述するスロット収容部６０）が配置される部分は、周方向Ｃの幅（周方向Ｃの両側の側面部の間隔）が径方向Ｒに沿って均一に形成されている。図２では、径方向開口部も含めてスロット９１の周方向Ｃの幅が径方向Ｒに沿って均一に形成される場合を例示しているが、径方向開口部におけるスロット９１の周方向Ｃの幅が、コイル１（スロット収容部６０）が配置される部分におけるスロット９１の周方向Ｃの幅よりも狭い構成（すなわち、スロット９１がセミオープンスロットである構成）とすることもできる。また、図３に示すように、スロット９１のそれぞれは、軸方向Ｌの両側に開口部を有している。本実施形態では、スロット９１のそれぞれは、軸方向Ｌに平行に延びるように形成されている。
【００１５】
図２に示すように、周方向Ｃに隣接する２つのスロット９１の間には、ティース９２が形成されている。言い換えれば、コア９０は、軸方向Ｌ視で円環状に形成されるヨーク部９３と、ヨーク部９３から径方向Ｒにおけるロータが配置される側（本実施形態では、径方向内側Ｒ１）に延びる複数のティース９２とを備えている。そして、周方向Ｃに隣接する２つのティース９２の間に、径方向Ｒの外側（径方向外側Ｒ２）に底部を有するスロット９１が形成されている。複数のティース９２のそれぞれの径方向内側Ｒ１の端面によって、コア９０の円筒状の内周面９０ｂが形成されている。また、ヨーク部９３の外周面によって、コア９０の円筒状の外周面９０ａが形成されている。なお、コア９０の外周面にケース等への取り付けのための突出部が設けられる場合には、ヨーク部９３の外周面における当該突出部を除く部分が、円筒状に形成される。図示は省略するが、本実施形態では、コア９０には、合計で４８個のスロット９１が周方向Ｃに沿って一定間隔で配置されている。
【００１６】
コイル１は、スロット９１内にそれぞれ配置される複数本のスロット収容部６０を備えている。本実施形態では、スロット収容部６０は、軸方向Ｌに平行に延びるようにスロット９１内に配置されている。コイル１は、スロット収容部６０が径方向Ｒに奇数個配列される奇数層巻構造を有している。すなわち、１本のスロット収容部６０の径方向Ｒの配置領域を１層とすると、図２及び図３に示すように、１つのスロット９１の内部には、複数本のスロット収容部６０が奇数個の層に分かれて配置される。本実施形態では、コイル１は７層巻構造を有しており、１つのスロット９１の内部には、複数本のスロット収容部６０が７つの層に分かれて配置される。また、本実施形態では、１つのスロット９１の内部には、複数本のスロット収容部６０が一列に並んで径方向Ｒに沿って配置される。よって、本実施形態では、１つのスロット９１の内部には、７本のスロット収容部６０が径方向Ｒに並べて配置される。
【００１７】
コイル１は、互いに異なるスロット９１内に配置される一対のスロット収容部６０をコア９０に対して軸方向Ｌの外側でそれぞれ接続する複数本の渡り部２０を備えている。後述するように、複数本の渡り部２０には、第１渡り部２０ａと、第２渡り部２０ｂと、第３渡り部２０ｃとが含まれる。ここで、図４〜図７に示すように、渡り部２０によって接続される一対のスロット収容部６０のうち、周方向第１側Ｃ１に配置されるスロット収容部６０を第１スロット収容部６１とし、周方向第２側Ｃ２に配置されるスロット収容部６０を第２スロット収容部６２とする。図１及び図３に示すように、複数本の渡り部２０の集合によって、コア９０に対して軸方向Ｌの両側に突出するようにコイルエンド部が形成される。
【００１８】
本実施形態では、コイル１は複数相（本例では、３相）のコイルであり、コイル１は、各相用のスロット９１（本例では、Ｕ相用のスロット９１、Ｖ相用のスロット９１、及びＷ相用のスロット９１）が周方向Ｃに沿って繰り返し現れるようにコア９０に巻装される。本実施形態では、毎極毎相あたりのスロット９１の数が“２”であり、コイル１は、Ｕ相用のスロット９１、Ｖ相用のスロット９１、及びＷ相用のスロット９１が周方向Ｃに沿って２つずつ繰り返し現れるようにコア９０に巻装される。図１には、コイル１が備える複数の相コイル（本例では３つの相コイル）のうちの１つの相コイルのみを示している。図示は省略するが、コイル１が備える他相の相コイルも、コア９０に対する周方向Ｃの配置位置を除いて、図１に示す相コイルと同様の構成を有している。
【００１９】
コイル１は、複数のセグメント導体１０を接合して構成される。セグメント導体１０のそれぞれは、当該セグメント導体１０の延在方向の両側の端部に接合部６４を有し（図４〜図７参照）、複数のセグメント導体１０の接合部６４同士を順次接合することにより、コイル１が形成される。セグメント導体１０のそれぞれは、１本の連続する線状導体を用いて構成される。ここで、「連続」とは、継ぎ目なく延在方向に一体に形成されていることを意味する。線状導体は、銅やアルミニウム等の導電性を有する材料により構成される。線状導体の表面は、異なる部材間の電気的接続箇所（後述する接合箇所６３（図３参照）等）を除いて、樹脂等の電気的絶縁性を有する材料からなる絶縁皮膜により被覆されている。図２に示すように、本実施形態では、セグメント導体１０を構成する線状導体として、延在方向に直交する断面の形状が矩形状の線状導体（平角線）を用いている。ここで、「矩形状」には、正方形状の矩形、角部が円弧状に面取り（Ｒ面取り）又は直線状に面取り（Ｃ面取り）された矩形、内角の大きさと９０度との差の絶対値が予め定められた角度（例えば、５度や１０度等）未満の矩形等を含む。
【００２０】
図１に示すように、コイル１が備える複数本の渡り部２０には、第１渡り部２０ａと、第２渡り部２０ｂと、第３渡り部２０ｃとが含まれる。図１及び図８に示すように、第１渡り部２０ａは、互いに径方向Ｒに隣接する層に配置される第１スロット収容部６１と第２スロット収容部６２とを接続する渡り部２０であり、第２渡り部２０ｂは、径方向Ｒの最も外側（最も径方向外側Ｒ２）の層（最外層）にそれぞれ配置される第１スロット収容部６１と第２スロット収容部６２とを接続する渡り部２０であり、第３渡り部２０ｃは、径方向Ｒの最も内側（最も径方向内側Ｒ１）の層（最内層）にそれぞれ配置される第１スロット収容部６１と第２スロット収容部６２とを接続する渡り部２０である。なお、図８は、図１に示すコイル１（１つの相コイル）の配線図であり、スロット９１の内部に記された数字は、コイル１の一端（第１端部１ａ）と他端（第２端部１ｂ）との間の電流の経路に沿って、第１端部１ａの側から順に一対のスロット収容部６０毎に“１”から付した識別番号である。後述するように、コイル１は、第１コイル部２ａ及び第２コイル部２ｂを電気的に接続して（ここでは、直列に接続して）構成されており、図８では、コイル１の配線構成の理解を容易にするために、第１コイル部２ａの配線図と第２コイル部２ｂの配線図とをずらして示している。すなわち、図８において上下方向（図８に示す符号が読める向きでの上下方向）に並ぶ２つのスロット９１は同一のスロット９１である。
【００２１】
ここで、軸方向Ｌにおけるコア９０に対して第３渡り部２０ｃが配置される側を軸方向第１側Ｌ１とすると、第２渡り部２０ｂは、コア９０に対して軸方向第１側Ｌ１とは反対側である軸方向第２側Ｌ２に配置される。すなわち、第３渡り部２０ｃは、コア９０に対して第２渡り部２０ｂが配置される側とは軸方向Ｌの反対側に配置される。また、コイル１が備える複数本の第１渡り部２０ａの一部の第１渡り部２０ａ（具体的には、半数の第１渡り部２０ａ）は、コア９０に対して軸方向第１側Ｌ１に配置され、残りの第１渡り部２０ａは、コア９０に対して軸方向第２側Ｌ２に配置される。図８では、コア９０に対して軸方向第２側Ｌ２に配置される渡り部２０（第１渡り部２０ａ及び第２渡り部２０ｂ）を実線で示すと共に、コア９０に対して軸方向第１側Ｌ１に配置される渡り部２０（第１渡り部２０ａ及び第３渡り部２０ｃ）を破線で示している。
【００２２】
図４及び図５に示すように、第１渡り部２０ａは、第１スロット収容部６１に対応する径方向Ｒの位置に配置される部分（第１部分３１）と、第２スロット収容部６２に対応する径方向Ｒの位置に配置される部分（第２部分３２）と、を備えている。第１部分３１は、第１渡り部２０ａの延在方向において、第２部分３２よりも第１渡り部２０ａと第１スロット収容部６１との接続部側に配置される。ここで、スロット収容部６０に対応する径方向Ｒの位置とは、スロット収容部６０と径方向Ｒの同じ位置とされ、或いは、スロット収容部６０とは径方向Ｒの異なる位置とされる。但し、後者の場合であっても、径方向Ｒに隣接する層に配置される２つのスロット収容部６０の間で、径方向外側Ｒ２の層に配置されるスロット収容部６０に対応する径方向Ｒの位置は、径方向内側Ｒ１の層に配置されるスロット収容部６０に対応する径方向Ｒの位置よりも、径方向外側Ｒ２に設定される。すなわち、スロット収容部６０に対応する径方向Ｒの位置を「径方向対応位置」とすると、複数の径方向対応位置の径方向Ｒの並び順は、対応するスロット収容部６０の径方向Ｒの並び順と一致する。なお、図４及び図５、並びに後に参照する図６及び図７では、コイル１を構成するセグメント導体１０（後述する第１セグメント導体１０ａ、第２セグメント導体１０ｂ、及び第３セグメント導体１０ｃ）について、径方向Ｒ視での形状、軸方向Ｌ視での形状、及び周方向Ｃ視での形状を１つの図にまとめて示している。
【００２３】
図４に示すように、コア９０に対して軸方向第１側Ｌ１に配置される第１渡り部２０ａは、第１スロット収容部６１と、当該第１スロット収容部６１に対して径方向内側Ｒ１に隣接する層に配置される第２スロット収容部６２とを接続する。よって、コア９０に対して軸方向第１側Ｌ１に配置される第１渡り部２０ａでは、第２部分３２は第１部分３１よりも径方向内側Ｒ１に配置される。一方、図５に示すように、コア９０に対して軸方向第２側Ｌ２に配置される第１渡り部２０ａは、第１スロット収容部６１と、当該第１スロット収容部６１に対して径方向外側Ｒ２に隣接する層に配置される第２スロット収容部６２とを接続する。よって、コア９０に対して軸方向第２側Ｌ２に配置される第１渡り部２０ａでは、第２部分３２は第１部分３１よりも径方向外側Ｒ２に配置される。このように、コア９０に対して軸方向Ｌの両側のそれぞれにおいて、第１渡り部２０ａの第２部分３２は、第１渡り部２０ａの第１部分３１に対して径方向Ｒの同じ側に配置される。これにより、コア９０に対して軸方向Ｌの同じ側で径方向Ｒの同じ位置（領域）に配置される複数本の第１渡り部２０ａを、互いの干渉を回避しつつそれぞれの周方向Ｃの配置領域を一部重複させて配置することが可能となっている。
【００２４】
図４及び図５に示すように、第１渡り部２０ａは、第１部分３１と第２部分３２との接続部に、第２部分３２を第１部分３１に対して径方向Ｒにオフセット（本実施形態では、１層分オフセット）して配置するための第１オフセット部４１（屈曲部）を有している。第１オフセット部４１は、コア９０に対して軸方向Ｌの同じ側で径方向Ｒの同じ位置に配置される複数本の渡り部２０（ここでは、第１渡り部２０ａ）の間の干渉を回避するためのオフセット部である。本実施形態では、第１渡り部２０ａに設けられる第１オフセット部４１は、第１渡り部２０ａにおける周方向Ｃの中間部（具体的には、中央部）に形成されている。そして、第１部分３１は、軸方向Ｌ視で円弧状に延びるように形成されて第１スロット収容部６１と第１オフセット部４１とを接続し、第２部分３２は、軸方向Ｌ視で円弧状に延びるように形成されて第１オフセット部４１と第２スロット収容部６２とを接続している。なお、第１部分３１と第１スロット収容部６１との接続部には、第１部分３１の延在方向を第１スロット収容部６１の延在方向に対して周方向Ｃに傾斜した方向とするための屈曲部（第１屈曲部）が設けられている。第２渡り部２０ｂ及び第３渡り部２０ｃにも同様の屈曲部（第１屈曲部）が設けられている。また、第２部分３２と第２スロット収容部６２との接続部には、第２部分３２の延在方向を第２スロット収容部６２の延在方向に対して周方向Ｃに傾斜した方向とするための屈曲部（第２屈曲部）が設けられている。第１渡り部２０ａにおけるこれらの第１屈曲部と第２屈曲部とを接続する部分が、第１渡り部２０ａにおける周方向Ｃに延びる部分である周方向延在部５０を構成している。本実施形態では、第１渡り部２０ａの周方向延在部５０は、実質的に第１渡り部２０ａの全体を構成している。
【００２５】
図６に示すように、第２渡り部２０ｂは、第１スロット収容部６１に対応する径方向Ｒの位置に配置される部分（第１部分３１）と、第１スロット収容部６１に対応する径方向Ｒの位置及び第２スロット収容部６２に対応する径方向Ｒの位置よりも径方向外側Ｒ２に配置される外側部分３３と、第２スロット収容部６２に対応する径方向Ｒの位置に配置される部分（第２部分３２）と、を備えている。第１部分３１は、第２渡り部２０ｂの延在方向において、外側部分３３よりも第２渡り部２０ｂと第１スロット収容部６１との接続部側に配置され、第２部分３２は、第２渡り部２０ｂの延在方向において、外側部分３３よりも第２渡り部２０ｂと第２スロット収容部６２との接続部側に配置されている。第２渡り部２０ｂは、最も径方向外側Ｒ２の層にそれぞれ配置される第１スロット収容部６１と第２スロット収容部６２とを接続する（すなわち、互いに同一の層に配置される第１スロット収容部６１と第２スロット収容部６２とを接続する）ため、第１スロット収容部６１に対応する径方向Ｒの位置と第２スロット収容部６２に対応する径方向Ｒの位置とは、径方向Ｒの互いに同じ位置とされる。すなわち、第２渡り部２０ｂでは、第１部分３１と第２部分３２とが径方向Ｒの互いに同じ位置に配置され、外側部分３３は、これらの第１部分３１及び第２部分３２よりも径方向外側Ｒ２に配置される。第２渡り部２０ｂにこのような外側部分３３を設けることで、複数本の第２渡り部２０ｂを、互いの干渉を回避しつつそれぞれの周方向Ｃの配置領域を一部重複させて配置することが可能となっている。
【００２６】
図６に示すように、第２渡り部２０ｂは、第１部分３１と外側部分３３との接続部に、外側部分３３を第１部分３１に対して径方向外側Ｒ２にオフセット（本実施形態では、１層分オフセット）して配置するための第１オフセット部４１（屈曲部）を有している。第２渡り部２０ｂの第１オフセット部４１は、第１渡り部２０ａの第１オフセット部４１と同様に、径方向Ｒの同じ位置に配置される複数本の渡り部２０（ここでは、第２渡り部２０ｂ）の間の干渉を回避するために設けられている。第２渡り部２０ｂは、更に、外側部分３３と第２部分３２との接続部に、外側部分３３を第２部分３２に対して径方向外側Ｒ２にオフセット（本実施形態では、１層分オフセット）して配置するための第２オフセット部４２（屈曲部）を有している（図３参照）。
【００２７】
本実施形態では、第２渡り部２０ｂの第１オフセット部４１は、第２渡り部２０ｂにおける周方向Ｃの中間部（具体的には、中央部）に形成されている。よって、第１部分３１は、軸方向Ｌ視で円弧状に延びるように形成されて第１スロット収容部６１と第１オフセット部４１とを接続している。また、本実施形態では、第２オフセット部４２は、第２渡り部２０ｂにおける周方向第２側Ｃ２の端部に形成されている。よって、外側部分３３は、軸方向Ｌ視で円弧状に延びるように形成されて第１オフセット部４１と第２オフセット部４２とを接続し、第２部分３２は、軸方向Ｌに延びるように（本実施形態では、軸方向Ｌに平行に延びるように）形成されて第２スロット収容部６２と第２オフセット部４２とを接続している。なお、本実施形態では、第２オフセット部４２は、外側部分３３の延在方向を第２スロット収容部６２の延在方向に対して周方向Ｃに傾斜した方向とするための屈曲部（第２屈曲部）と重複して（すなわち、第２渡り部２０ｂの延在方向において互いに重複するように）形成されている。上述したように、第２渡り部２０ｂには第１屈曲部が設けられており、第２渡り部２０ｂにおけるこれらの第１屈曲部と第２屈曲部とを接続する部分が、第２渡り部２０ｂにおける周方向Ｃに延びる部分である周方向延在部５０を構成している。本実施形態では、第２渡り部２０ｂの周方向延在部５０は、実質的に第２渡り部２０ｂの全体を構成している。
【００２８】
図７に示すように、第３渡り部２０ｃは、第１スロット収容部６１に対応する径方向Ｒの位置に配置される部分（第１部分３１）と、第１スロット収容部６１に対応する径方向Ｒの位置及び第２スロット収容部６２に対応する径方向Ｒの位置よりも径方向内側Ｒ１に配置される内側部分３４と、第２スロット収容部６２に対応する径方向Ｒの位置に配置される部分（第２部分３２）と、を備えている。第１部分３１は、第３渡り部２０ｃの延在方向において、内側部分３４よりも第３渡り部２０ｃと第１スロット収容部６１との接続部側に配置され、第２部分３２は、第３渡り部２０ｃの延在方向において、内側部分３４よりも第３渡り部２０ｃと第２スロット収容部６２との接続部側に配置されている。第３渡り部２０ｃは、最も径方向内側Ｒ１の層にそれぞれ配置される第１スロット収容部６１と第２スロット収容部６２とを接続する（すなわち、互いに同一の層に配置される第１スロット収容部６１と第２スロット収容部６２とを接続する）ため、第１スロット収容部６１に対応する径方向Ｒの位置と第２スロット収容部６２に対応する径方向Ｒの位置とは、径方向Ｒの互いに同じ位置とされる。すなわち、第３渡り部２０ｃでは、第１部分３１と第２部分３２とが径方向Ｒの互いに同じ位置に配置され、内側部分３４は、これらの第１部分３１及び第２部分３２よりも径方向内側Ｒ１に配置される。第３渡り部２０ｃにこのような内側部分３４を設けることで、複数本の第３渡り部２０ｃを、互いの干渉を回避しつつそれぞれの周方向Ｃの配置領域を一部重複させて配置することが可能となっている。
【００２９】
図７に示すように、第３渡り部２０ｃは、第１部分３１と内側部分３４との接続部に、内側部分３４を第１部分３１に対して径方向内側Ｒ１にオフセット（本実施形態では、１層分オフセット）して配置するための第１オフセット部４１（屈曲部）を有している。第３渡り部２０ｃの第１オフセット部４１は、第１渡り部２０ａの第１オフセット部４１や第２渡り部２０ｂの第１オフセット部４１と同様に、径方向Ｒの同じ位置に配置される複数本の渡り部２０（ここでは、第３渡り部２０ｃ）の間の干渉を回避するために設けられている。第３渡り部２０ｃは、更に、内側部分３４と第２部分３２との接続部に、内側部分３４を第２部分３２に対して径方向内側Ｒ１にオフセット（本実施形態では、１層分オフセット）して配置するための第３オフセット部４３（屈曲部）を有している（図３参照）。
【００３０】
本実施形態では、第３渡り部２０ｃの第１オフセット部４１は、第３渡り部２０ｃにおける周方向Ｃの中間部（具体的には、中央部）に形成されている。よって、第１部分３１は、軸方向Ｌ視で円弧状に延びるように形成されて第１スロット収容部６１と第１オフセット部４１とを接続している。また、本実施形態では、第３オフセット部４３は、第３渡り部２０ｃにおける周方向第２側Ｃ２の端部に形成されている。よって、内側部分３４は、軸方向Ｌ視で円弧状に延びるように形成されて第１オフセット部４１と第３オフセット部４３とを接続し、第２部分３２は、軸方向Ｌに延びるように（本実施形態では、軸方向Ｌに平行に延びるように）形成されて第２スロット収容部６２と第３オフセット部４３とを接続している。なお、本実施形態では、第３オフセット部４３は、内側部分３４の延在方向を第２スロット収容部６２の延在方向に対して周方向Ｃに傾斜した方向とするための屈曲部（第２屈曲部）と重複して（すなわち、第３渡り部２０ｃの延在方向において互いに重複するように）形成されている。上述したように、第３渡り部２０ｃには第１屈曲部が設けられており、第３渡り部２０ｃにおけるこれらの第１屈曲部と第２屈曲部とを接続する部分が、第３渡り部２０ｃにおける周方向Ｃに延びる部分である周方向延在部５０を構成している。本実施形態では、第３渡り部２０ｃの周方向延在部５０は、実質的に第３渡り部２０ｃの全体を構成している。
【００３１】
図１に示すように、コイル１は、第１セグメント導体１０ａと、第２セグメント導体１０ｂと、第３セグメント導体１０ｃとを接合して構成されている。上述したように、本実施形態では、第１セグメント導体１０ａ、第２セグメント導体１０ｂ、及び第３セグメント導体１０ｃのそれぞれが、延在方向に直交する断面の形状が矩形状の線状導体である。なお、図１では、コイル１の構成の理解を容易にするために、第１セグメント導体１０ａ、第２セグメント導体１０ｂ、及び第３セグメント導体１０ｃのうちの第２セグメント導体１０ｂ及び第３セグメント導体１０ｃのみに、互いに異なるパターンのハッチングを施している。図３についても同様である。第１セグメント導体１０ａは、第１渡り部２０ａの少なくとも一部を有するセグメント導体１０であり、第２セグメント導体１０ｂは、第２渡り部２０ｂの少なくとも外側部分３３を有するセグメント導体１０であり、第３セグメント導体１０ｃは、第３渡り部２０ｃの少なくとも内側部分３４を有するセグメント導体１０である。
【００３２】
接続の対象となる２つの渡り部２０は、スロット収容部６０によって接続される。よって、互いに接合される２つのセグメント導体１０の少なくとも一方が、スロット収容部６０を備える。スロット９１に対してスロット収容部６０を軸方向Ｌに挿入可能とするために、スロット収容部６０を備えるセグメント導体１０は、２本以下のスロット収容部６０（すなわち、１本又は２本のスロット収容部６０）を備える。ここで、スロット収容部６０の本数は整数であり、軸方向Ｌの長さがスロット９１の軸方向Ｌの長さ未満のスロット収容部６０も、１本のスロット収容部６０とする。本実施形態では、第１セグメント導体１０ａ、第２セグメント導体１０ｂ、及び第３セグメント導体１０ｃのそれぞれが、２本以下のスロット収容部６０を有している。
【００３３】
図４〜図７に示すように、本実施形態では、第１セグメント導体１０ａは、第１渡り部２０ａにおける周方向Ｃに延びる周方向延在部５０の全体を有し、第２セグメント導体１０ｂは、第２渡り部２０ｂにおける周方向Ｃに延びる周方向延在部５０の全体を有し、第３セグメント導体１０ｃは、第３渡り部２０ｃにおける周方向Ｃに延びる周方向延在部５０の全体を有している。ここでは、第１セグメント導体１０ａは、第１渡り部２０ａの全体を有し、第２セグメント導体１０ｂは、第２渡り部２０ｂの全体を有し、第３セグメント導体１０ｃは、第３渡り部２０ｃの全体を有している。また、本実施形態では、第１セグメント導体１０ａ、第２セグメント導体１０ｂ、及び第３セグメント導体１０ｃのそれぞれは、２本のスロット収容部６０（すなわち、第１スロット収容部６１及び第２スロット収容部６２）を有している。すなわち、第１セグメント導体１０ａ、第２セグメント導体１０ｂ、及び第３セグメント導体１０ｃは、いずれも、径方向Ｒ視でＵ字状に形成されている。また、本実施形態では、第１セグメント導体１０ａが備える２本のスロット収容部６０、第２セグメント導体１０ｂが備える２本のスロット収容部６０、及び第３セグメント導体１０ｃが備える２本のスロット収容部６０は、いずれも、軸方向Ｌの長さがスロット９１の軸方向Ｌの長さ未満のスロット収容部６０である。よって、スロット収容部６０の先端部（渡り部２０との接続部側とは反対側の端部）に、別のセグメント導体１０のスロット収容部６０と接合するための接合部６４が形成されている。
【００３４】
本実施形態では、コイル１は、第１セグメント導体１０ａとして、第１導体１１と第２導体１２とを用い、第２セグメント導体１０ｂとして第３導体１３を用い、第３セグメント導体１０ｃとして第４導体１４を用いて形成されている。図４に示すように、第１導体１１は、コア９０に対して軸方向第１側Ｌ１に配置される第１接続部２１（第１渡り部２０ａ）の周方向延在部５０を有する第１セグメント導体１０ａである。図５に示すように、第２導体１２は、コア９０に対して軸方向第２側Ｌ２に配置される第２接続部２２（第１渡り部２０ａ）の周方向延在部５０を有する第１セグメント導体１０ａである。また、第３導体１３は、コア９０に対して軸方向第２側Ｌ２に配置される第３接続部２３（第２渡り部２０ｂ）の周方向延在部５０を有し、第４導体１４は、コア９０に対して軸方向第１側Ｌ１に配置される第４接続部２４（第３渡り部２０ｃ）の周方向延在部５０を有している。よって、本実施形態では、スロット９１内へのスロット収容部６０の挿入は、第１導体１１及び第４導体１４については、スロット９１に対して軸方向第１側Ｌ１から行うことができ、第２導体１２及び第３導体１３については、スロット９１に対して軸方向第２側Ｌ２から行うことができる。
【００３５】
本実施形態では、コイル１は、重ね巻（同芯巻）によりコア９０に巻装される。すなわち、図８に示すように、コイル１は、周方向Ｃに並べて配置される複数の重ね巻部３（同芯巻部）を電気的に接続して形成されている。本例では、図１及び図８に示すように、コイル１（１つの相コイル）は、周方向Ｃに並べて配置される複数の重ね巻部３を電気的に接続して形成される第１コイル部２ａと、周方向Ｃに並べて配置される複数の重ね巻部３を電気的に接続して形成される第２コイル部２ｂとを、電気的に接続して（ここでは、直列に接続して）構成されている。第１コイル部２ａを構成する複数の重ね巻部３と、第２コイル部２ｂを構成する複数の重ね巻部３とは、周方向Ｃにスロット９１の配設ピッチ分（１スロットピッチ分）ずらして配置されている。
【００３６】
図１、図３、及び図８に示すように、重ね巻部３の１ターンは、周方向Ｃの同じ位置において径方向Ｒに位置をずらして配置される１つの第１導体１１と１つの第２導体１２とが接合されて形成される。なお、これらの第１導体１１と第２導体１２との接合は、第１導体１１の第２スロット収容部６２の先端部に設けられた接合部６４（図４参照）と、第２導体１２の第２スロット収容部６２の先端部に設けられた接合部６４（図５参照）とを、スロット９１内で軸方向Ｌに接合することで行われる。これにより、第１導体１１の第２スロット収容部６２と第２導体１２の第２スロット収容部６２とが軸方向Ｌに沿って直線状に延在するように接合されて、スロット９１における軸方向Ｌの両端部間を軸方向Ｌに延びるスロット収容部６０が形成される。このように、本実施形態では、互いに異なる第１セグメント導体１０ａ同士（具体的には、第１導体１１と第２導体１２）が、スロット９１内で接合されている。接合部６４同士の接合は、例えば、導電性接合材（銀ナノ粒子を含んだペースト状の接合材等）を用いて行うことができる。なお、接合材を用いることなく溶接等によって接合部６４同士を接合してもよい。
【００３７】
本実施形態では、１つの重ね巻部３において、上記のように互いに接合される１つの第１導体１１と１つの第２導体１２との組（第１セグメント導体組）が、周方向Ｃの同じ位置において径方向Ｒに位置をずらして複数組（具体的には、３組）配置されている。そして、径方向Ｒに隣接して配置される２つの第１セグメント導体組について、径方向Ｒの外側の第１セグメント導体組を構成する第２導体１２の、第１スロット収容部６１の先端部に設けられた接合部６４と、径方向Ｒの内側の第１セグメント導体組を構成する第１導体１１の、第１スロット収容部６１の先端部に設けられた接合部６４とが、スロット９１内で接合されている。すなわち、周方向Ｃの同じ位置において径方向Ｒに交互に配置される第１導体１１と第２導体１２とを順次接合することで、１つの重ね巻部３が形成されている。
【００３８】
図１及び図８に示すように、１つのスロット９１の内部には、１つの重ね巻部３の周方向第１側Ｃ１のスロット収容部６０（第１スロット収容部６１）と、別の１つの重ね巻部３の周方向第２側Ｃ２のスロット収容部６０（第２スロット収容部６２）とが、径方向Ｒに交互に配置される。すなわち、１つの重ね巻部３の第１スロット収容部６１は、径方向Ｒに隣接する第１スロット収容部６１の間に１層分の空間（隙間）が形成されるように一列に並んで配置され、当該隙間のそれぞれに、別の重ね巻部３の第２スロット収容部６２が配置されている。本実施形態では、図４に示すように、第１導体１１が備える一対のスロット収容部６０は、第１スロット収容部６１が第２スロット収容部６２よりも軸方向Ｌに短く形成されており、これに応じて、第２導体１２が備える一対のスロット収容部６０は、第１スロット収容部６１が第２スロット収容部６２よりも軸方向Ｌに長く形成されている。これにより、図３に示すように、１つのスロット９１内において径方向Ｒに隣接する接合箇所６３（接合部６４同士の接合箇所）を、軸方向Ｌに互いに位置をずらして配置することができ、接合箇所６３の絶縁処理を簡略化することが可能となっている。
【００３９】
図１及び図８に示すように、コア９０に対して軸方向第１側Ｌ１に配置される第１渡り部２０ａの周方向延在部５０を有する第１セグメント導体１０ａ（本実施形態では、第１導体１１）と、第２セグメント導体１０ｂ（本実施形態では、第３導体１３）とが接合されている。具体的には、第３導体１３の第１スロット収容部６１の先端部に設けられた接合部６４（図６参照）と、１つの重ね巻部３（当該第３導体１３と周方向Ｃの同じ位置に配置される重ね巻部３）を構成する最も径方向外側Ｒ２に配置された第１導体１１の、第１スロット収容部６１の先端部に設けられた接合部６４（図４参照）とが接合されている。また、第３導体１３の第２スロット収容部６２の先端部に設けられた接合部６４（図６参照）と、上記重ね巻部３に対して周方向第２側Ｃ２に配置される重ね巻部３を構成する最も径方向外側Ｒ２に配置された第１導体１１の、第１スロット収容部６１の先端部に設けられた接合部６４（図４参照）とが接合されている。これにより、１つの重ね巻部３と、当該重ね巻部３の周方向第２側Ｃ２のスロット収容部６０（第２スロット収容部６２）が配置されるスロット９１に、周方向第１側Ｃ１のスロット収容部６０（第１スロット収容部６１）が配置される別の重ね巻部３とが、第２セグメント導体１０ｂ（第３導体１３）によって電気的に接続される。本実施形態では、第１セグメント導体１０ａ（第１導体１１）と第２セグメント導体１０ｂ（第３導体１３）とが、スロット９１内で接合されている（図３参照）。
【００４０】
また、図１及び図８に示すように、コア９０に対して軸方向第２側Ｌ２に配置される第１渡り部２０ａの周方向延在部５０を有する第１セグメント導体１０ａ（本実施形態では、第２導体１２）と、第３セグメント導体１０ｃ（本実施形態では、第４導体１４）とが接合されている。具体的には、第４導体１４の第１スロット収容部６１の先端部に設けられた接合部６４（図７参照）と、１つの重ね巻部３（当該第３導体１３と周方向Ｃの同じ位置に配置される重ね巻部３）を構成する最も径方向内側Ｒ１に配置された第２導体１２の、第１スロット収容部６１の先端部に設けられた接合部６４（図５参照）とが接合されている。また、第４導体１４の第２スロット収容部６２の先端部に設けられた接合部６４（図７参照）と、上記重ね巻部３に対して周方向第２側Ｃ２に配置される重ね巻部３を構成する最も径方向内側Ｒ１に配置された第２導体１２の、第１スロット収容部６１の先端部に設けられた接合部６４（図５参照）とが接合されている。これにより、１つの重ね巻部３と、当該重ね巻部３の周方向第２側Ｃ２のスロット収容部６０（第２スロット収容部６２）が配置されるスロット９１に、周方向第１側Ｃ１のスロット収容部６０（第１スロット収容部６１）が配置される別の重ね巻部３とが、第３セグメント導体１０ｃ（第４導体１４）によって電気的に接続される。本実施形態では、第１セグメント導体１０ａ（第２導体１２）と第３セグメント導体１０ｃ（第４導体１４）とが、スロット９１内で接合されている（図３参照）。
【００４１】
上述したように、第２渡り部２０ｂと第３渡り部２０ｃとは、コア９０に対して軸方向Ｌの互いに反対側に配置される。これにより、第１渡り部２０ａによって接続される一対のスロット収容部６０が配置される一対のスロット９１の組のそれぞれについて、互いに同一の層に配置されるスロット収容部６０同士の接続が、第２渡り部２０ｂ及び第３渡り部２０ｃの一方のみにより行われるようにコイル１をコア９０に対して巻装することが可能となっている。すなわち、図８に示すように、第１コイル部２ａ又は第２コイル部２ｂにおいて周方向Ｃに並ぶ複数の重ね巻部３は、第２渡り部２０ｂ及び第３渡り部２０ｃを交互に用いて順次電気的に接続される。これにより、１つのスロット９１内において径方向Ｒに並んで配置されるスロット収容部６０の本数が奇数（３以上の奇数であって、本実施形態では、７本）のコイル１を実現することが可能となっている。
【００４２】
なお、本実施形態では、渡り部２０のそれぞれは、周方向Ｃにスロット９１の配設ピッチの６倍分（６スロットピッチ分）離間して配置された一対のスロット収容部６０を接続するように設けられている。但し、図８に示すように、第１コイル部２ａと第２コイル部２ｂとを接続する渡り部２０（第２渡り部２０ｂ）のみ、周方向Ｃにスロット９１の配設ピッチの７倍分（７スロットピッチ分）離間して配置された一対のスロット収容部６０を接続している。
【００４３】
図１に示すように、本実施形態では、コイル１は、上述した第１導体１１、第２導体１２、第３導体１３、及び第４導体１４に加えて、第８導体１８及び第９導体１９を備えている。第８導体１８は、１本のスロット収容部６０を有するセグメント導体１０であり、第８導体１８における第１導体１１との接続部側とは反対側の端部が、コイル１（相コイル）の一端である第１端部１ａを構成している。また、第９導体１９は、１本のスロット収容部６０を有するセグメント導体１０であり、第９導体１９における第１導体１１との接続部側とは反対側の端部が、コイル１（相コイル）の他端である第２端部１ｂを構成している。複数の相コイルがスター結線により結線される場合には、第１端部１ａ及び第２端部１ｂの一方が、動力線が接続される動力線端子に接続され、第１端部１ａ及び第２端部１ｂの他方が中性点に接続される。また、複数の相コイルがデルタ結線により結線される場合には、第１端部１ａ及び第２端部１ｂの双方が、互いに異なる動力線端子に接続される。
【００４４】
〔第２の実施形態〕
コイルの第２の実施形態について、図９〜図１１を参照して説明する。以下では、本実施形態のコイルについて、第１の実施形態との相違点を中心に説明する。特に明記しない点については、第１の実施形態と同様であり、同一の符号を付して詳細な説明は省略する。なお、上記の第１の実施形態やこの第２の実施形態で示す各セグメント導体１０の構成は一例に過ぎず、コイル１を複数のセグメント導体１０に分割する箇所は、適宜変更可能であり、各セグメント導体１０の構成もそれに応じて変更される。
【００４５】
本実施形態では、第１セグメント導体１０ａ、第２セグメント導体１０ｂ、及び第３セグメント導体１０ｃを含むセグメント導体１０のそれぞれは、２本のスロット収容部６０（第１スロット収容部６１及び第２スロット収容部６２）と、コア９０に対して軸方向Ｌの一方側である軸方向第１側Ｌ１に配置されて２本のスロット収容部６０を接続する渡り部２０と、２本のスロット収容部６０のそれぞれから延びてコア９０に対して軸方向第１側Ｌ１とは反対側である軸方向第２側Ｌ２に配置される延出部７０と、を有している。第１スロット収容部６１から延びる延出部７０を第１延出部７１とし、第２スロット収容部６２から延びる延出部７０を第２延出部７２とすると、第１延出部７１は、その先端部（第１スロット収容部６１との接続部側とは反対側の端部）に他のセグメント導体１０の延出部７０と接合するための第１接合部７１ａを有し、第２延出部７２は、その先端部（第２スロット収容部６２との接続部側とは反対側の端部）に他のセグメント導体１０の延出部７０と接合するための第２接合部７２ａを有している。
【００４６】
具体的には、本実施形態のコイル１は、第１セグメント導体１０ａとして図９に示す第５導体１５を用い、第２セグメント導体１０ｂとして図１０に示す第６導体１６を用い、第３セグメント導体１０ｃとして図１１に示す第７導体１７を用いて形成されている。図９及び図１０に示すように、第５導体１５及び第６導体１６のそれぞれは、コア９０に対して軸方向第１側Ｌ１に配置される第１渡り部２０ａと、当該第１渡り部２０ａによって接続される一対のスロット収容部６０（第１スロット収容部６１及び第２スロット収容部６２）と、コア９０に対して軸方向第２側に配置される一対の延出部７０（第１延出部７１及び第２延出部７２）と、を有している。すなわち、第５導体１５は、コア９０に対して軸方向第１側Ｌ１に配置される第５接続部２５（第１渡り部２０ａ）を有し、第６導体１６は、コア９０に対して軸方向第１側Ｌ１に配置される第６接続部２６（第１渡り部２０ａ）を有している。そして、第１延出部７１と第１スロット収容部６１との接続部には、第１延出部７１の延在方向を第１スロット収容部６１の延在方向に対して周方向Ｃに傾斜した方向とするための屈曲部（周方向屈曲部）が設けられ、第２延出部７２と第２スロット収容部６２との接続部には、第２延出部７２の延在方向を第２スロット収容部６２の延在方向に対して周方向Ｃに傾斜した方向とするための屈曲部（周方向屈曲部）が設けられている。なお、第５導体１５及び第６導体１６は、第１延出部７１及び第２延出部７２の双方がスロット収容部６０と平行に延びるように形成された状態（すなわち、上記２つの周方向屈曲部が形成される前の状態）で、スロット９１に対してスロット収容部６０を軸方向Ｌに挿入可能な形状を有している。
【００４７】
図９に示すように、第５導体１５の第１延出部７１は、周方向第２側Ｃ２に向かうに従ってコア９０から徐々に離れるように、第１スロット収容部６１の延在方向に対して周方向第２側Ｃ２に傾斜するように形成されている。一方、図１０に示すように、第６導体１６の第１延出部７１は、周方向第１側Ｃ１に向かうに従ってコア９０から徐々に離れるように、第１スロット収容部６１の延在方向に対して周方向第１側Ｃ１に傾斜するように形成されている。また、図９及び図１０に示すように、第５導体１５の第２延出部７２及び第６導体１６の第２延出部７２は、いずれも、周方向第１側Ｃ１に向かうに従ってコア９０から徐々に離れるように、第２スロット収容部６２の延在方向に対して周方向第１側Ｃ１に傾斜するように形成されている。
【００４８】
図１１に示すように、第７導体１７は、コア９０に対して軸方向第１側Ｌ１に配置される第７接続部２７（第３渡り部２０ｃ）と、当該第３渡り部２０ｃによって接続される一対のスロット収容部６０（第１スロット収容部６１及び第２スロット収容部６２）と、コア９０に対して軸方向第２側に配置される一対の延出部７０（第１延出部７１及び第２延出部７２）と、を有している。そして、第１延出部７１と第１スロット収容部６１との接続部には、第１延出部７１の延在方向を第１スロット収容部６１の延在方向に対して周方向Ｃに傾斜した方向とするための屈曲部（周方向屈曲部）が設けられ、第２延出部７２と第２スロット収容部６２との接続部には、第２延出部７２の延在方向を第２スロット収容部６２の延在方向に対して周方向Ｃに傾斜した方向とするための屈曲部（周方向屈曲部）が設けられている。なお、第７導体１７は、第１延出部７１及び第２延出部７２の双方がスロット収容部６０と平行に延びるように形成された状態（すなわち、上記２つの周方向屈曲部が形成される前の状態）で、スロット９１に対してスロット収容部６０を軸方向Ｌに挿入可能な形状を有している。
【００４９】
図１１に示すように、第７導体１７の第１延出部７１は、周方向第２側Ｃ２に向かうに従ってコア９０から徐々に離れるように、第１スロット収容部６１の延在方向に対して周方向第２側Ｃ２に傾斜するように形成されている。また、第７導体１７の第２延出部７２は、周方向第２側Ｃ２に向かうに従ってコア９０から徐々に離れるように、第２スロット収容部６２の延在方向に対して周方向第２側Ｃ２に傾斜するように形成されている。
【００５０】
本実施形態のコイル１は、このように構成された第５導体１５、第６導体１６、及び第７導体１７を用いて形成されるため、コア９０に対して軸方向第１側Ｌ１に配置される第１渡り部２０ａ及び第３渡り部２０ｃは、上記第１の実施形態と同様に、渡り部２０の全体が１つのセグメント導体１０に含まれる。すなわち、第１渡り部２０ａの全体は、第５導体１５（第１セグメント導体１０ａ）又は第６導体１６（第２セグメント導体１０ｂ）に含まれ、第３渡り部２０ｃの全体は、第７導体１７（第３セグメント導体１０ｃ）に含まれる。このように、本実施形態では、上記第１の実施形態と同様に、第１セグメント導体１０ａが第１渡り部２０ａの全体を有し、第３セグメント導体１０ｃが第３渡り部２０ｃの全体を有しているが、上記第１の実施形態とは異なり、第２セグメント導体１０ｂは、以下に述べるように、第２渡り部２０ｂにおける外側部分３３を含む一部のみを有している。
【００５１】
本実施形態のコイル１では、コア９０に対して軸方向第２側Ｌ２に配置される渡り部２０は、１つのセグメント導体１０に渡り部２０の全体が含まれず、互いに異なるセグメント導体１０の延出部７０同士を接合して形成される。具体的には、第５導体１５の第１延出部７１と、別の第５導体１５の第２延出部７２とを接合することで、これらの第１延出部７１及び第２延出部７２によって、コア９０に対して軸方向第２側Ｌ２に配置される第１渡り部２０ａが形成される。すなわち、第５導体１５の第１延出部７１は、第１渡り部２０ａが備える第１部分３１に相当し、第５導体１５の第２延出部７２は、第１渡り部２０ａが備える第２部分３２に相当する（図９参照）。また、延出部７０同士の接合部により、一方の延出部７０（第１部分３１）と他方の延出部７０（第２部分３２）とを径方向Ｒにオフセット（本実施形態では、１層分オフセット）して配置するための第１オフセット部４１が形成される。更には、第５導体１５の第１延出部７１（図９参照）と、第６導体１６の第２延出部７２（図１０参照）とを接合することで、これらの第１延出部７１及び第２延出部７２によって、コア９０に対して軸方向第２側Ｌ２に配置される第１渡り部２０ａが形成される。すなわち、第６導体１６の第２延出部７２は、第１渡り部２０ａが備える第２部分３２に相当する。
【００５２】
また、第５導体１５の第２延出部７２（図９参照）と、第７導体１７の第１延出部７１（図１１参照）とを接合することで、これらの第２延出部７２及び第１延出部７１によって、コア９０に対して軸方向第２側Ｌ２に配置される第１渡り部２０ａが形成される。すなわち、第７導体１７の第１延出部７１は、第１渡り部２０ａが備える第１部分３１に相当する。更には、第５導体１５の第２延出部７２（図９参照）と、第７導体１７の第２延出部７２（図１１参照）とを接合することで、これら２つの第２延出部７２によって、コア９０に対して軸方向第２側Ｌ２に配置される第１渡り部２０ａが形成される。すなわち、第７導体１７の第２延出部７２は、第７導体１７の第１延出部７１と同様に、第１渡り部２０ａが備える第１部分３１に相当する。このように第５導体１５の第２延出部７２と第７導体１７の第２延出部７２とを接合して形成される第１渡り部２０ａに着目すると、第７導体１７の第２スロット収容部６２は、当該第１渡り部２０ａによって接続される一対のスロット収容部６０のうちの周方向第１側Ｃ１に配置されるスロット収容部６０であるという点で、第１スロット収容部６１に相当する。
【００５３】
更には、第５導体１５の第１延出部７１（図９参照）と、第６導体１６の第１延出部７１（図１０参照）とを接合することで、これら２つの第１延出部７１によって、第２渡り部２０ｂが形成される。すなわち、第６導体１６の第１延出部７１は、第２渡り部２０ｂが備える外側部分３３に相当する。この第２の実施形態では、上記第１の実施形態とは異なり、第２セグメント導体１０ｂ（第６導体１６）は、第２渡り部２０ｂの外側部分３３及び第２部分３２を備えているが、第２渡り部２０ｂの第１部分３１を備えていない。また、第５導体１５の第１延出部７１は、この場合、第２渡り部２０ｂが備える第１部分３１に相当する。このように形成される第２渡り部２０ｂに着目すると、第６導体１６の第１スロット収容部６１は、当該第２渡り部２０ｂによって接続される一対のスロット収容部６０のうちの周方向第２側Ｃ２に配置されるスロット収容部６０であるという点で、第２スロット収容部６２に相当する。以上のように、この第２の実施形態では、第３渡り部２０ｃの全体が第３セグメント導体１０ｃ（第７導体１７）に含まれると共に、第２渡り部２０ｂが、第１セグメント導体１０ａ（第５導体１５）の延出部７０と第２セグメント導体１０ｂ（第６導体１６）の延出部７０とが接合して形成される。
【００５４】
〔第３の実施形態〕
コイルの第３の実施形態について、図１２〜図１５を参照して説明する。以下では、本実施形態のコイルについて、第１の実施形態との相違点を中心に説明する。特に明記しない点については、第１の実施形態と同様であり、同一の符号を付して詳細な説明は省略する。
【００５５】
本実施形態のコイル１は、上記第１の実施形態と同様に、第１セグメント導体１０ａとして、第１導体１１と第２導体１２とを用い、第２セグメント導体１０ｂとして第３導体１３を用い、第３セグメント導体１０ｃとして第４導体１４を用いて形成される。但し、図１２〜図１５を図４〜図７と比較すると明らかなように、第１導体１１、第２導体１２、第３導体１３、及び第４導体１４の構成が、本実施形態と第１の実施形態とでは互いに異なっている。
【００５６】
本実施形態では、第１セグメント導体１０ａ、第２セグメント導体１０ｂ、及び第３セグメント導体１０ｃを含む複数のセグメント導体１０の中の、一部のセグメント導体１０のみが、スロット収容部６０を有している。具体的には、図１２及び図１５に示すように、第１セグメント導体１０ａとしての第１導体１１と第３セグメント導体１０ｃとしての第４導体１４が、２本以下のスロット収容部６０（ここでは、２本のスロット収容部６０）を備え、図１３及び図１４に示すように、第１セグメント導体１０ａとしての第２導体１２と第２セグメント導体１０ｂとしての第３導体１３は、スロット収容部６０を備えていない。
【００５７】
そして、本実施形態では、スロット収容部６０を備えるセグメント導体１０（ここでは、第１導体１１及び第４導体１４）は、図１２及び図１５に示すように、スロット収容部６０から延びてコア９０に対して軸方向Ｌにおける渡り部２０（当該セグメント導体１０が備える渡り部２０）とは反対側（ここでは、軸方向第２側Ｌ２）に配置される延出部を備えており、当該延出部（すなわち、スロット９１の外側に配置される部分）に、他のセグメント導体１０と接合するための接合部６４が形成されている。ここでは、スロット収容部６０を備えるセグメント導体１０は、２本のスロット収容部６０に対応して２本の延出部を備えており、当該２本の延出部のそれぞれに接合部６４が形成されている。ここでは、これら２本の延出部は、軸方向Ｌの長さが互いに等しく形成されている。
【００５８】
一方、スロット収容部６０を備えないセグメント導体１０（ここでは、第２導体１２及び第３導体１３）は、渡り部２０の全体又は一部を有し、本実施形態では、図１３及び図１４に示すように、渡り部２０の一部（周方向延在部５０の全体を含む部分）を有している。なお、渡り部２０におけるセグメント導体１０に含まれない部分は、当該セグメント導体１０が接合される他のセグメント導体１０の上記延出部により構成される。そして、スロット収容部６０を備えないセグメント導体１０における当該セグメント導体１０の延在方向の両端部は、スロット９１の外側（コア９０に対して軸方向Ｌの外側）に配置されており、当該両端部のそれぞれに、他のセグメント導体１０と接合するための接合部６４が形成されている。
【００５９】
上記のように各セグメント導体１０が形成されるため、本実施形態では、互いに異なる第１セグメント導体１０ａ同士（具体的には、第１導体１１と第２導体１２）は、スロット９１内ではなくスロット９１外で、すなわち、コア９０に対して軸方向Ｌの外側で、接合される。同様に、第１セグメント導体１０ａ（第１導体１１）と第２セグメント導体１０ｂ（第３導体１３）とが、コア９０に対して軸方向Ｌの外側で接合されると共に、第１セグメント導体１０ａ（第２導体１２）と第３セグメント導体１０ｃ（第４導体１４）とが、コア９０に対して軸方向Ｌの外側で接合される。本実施形態では、コア９０に対して軸方向Ｌの同じ側（ここでは、軸方向第２側Ｌ２）で、互いに異なる第１セグメント導体１０ａ同士（第１導体１１と第２導体１２）が接合され、第１セグメント導体１０ａ（第１導体１１）と第２セグメント導体１０ｂ（第３導体１３）とが接合され、更に、第１セグメント導体１０ａ（第２導体１２）と第３セグメント導体１０ｃ（第４導体１４）とが接合される。
【００６０】
〔その他の実施形態〕
次に、コイルのその他の実施形態について説明する。
【００６１】
（１）上記第２の実施形態では、第３渡り部２０ｃの全体が第３セグメント導体１０ｃに含まれると共に、第２渡り部２０ｂが、第１セグメント導体１０ａの延出部７０と第２セグメント導体１０ｂの延出部７０とが接合して形成される構成を例として説明した。しかし、そのような構成に限定されることなく、第２渡り部２０ｂの全体が第２セグメント導体１０ｂに含まれると共に、第３渡り部２０ｃが、第１セグメント導体１０ａの延出部７０と第３セグメント導体１０ｃの延出部７０とが接合して形成される構成とすることもできる。具体的には、上記第２の実施形態とは異なり、軸方向Ｌにおけるコア９０に対して第２渡り部２０ｂが配置される側を軸方向第１側Ｌ１とし、第２渡り部２０ｂの全体が第２セグメント導体１０ｂに含まれ、第３渡り部２０ｃにおける内側部分３４を含む一部のみが第３セグメント導体１０ｃに含まれる構成とすることができる。
【００６２】
（２）上記第１及び第２の実施形態では、第１セグメント導体１０ａ、第２セグメント導体１０ｂ、及び第３セグメント導体１０ｃのそれぞれが、２本のスロット収容部６０を有する構成を例として説明した。しかし、そのような構成に限定されることなく、第１セグメント導体１０ａ、第２セグメント導体１０ｂ、及び第３セグメント導体１０ｃのうちの少なくともいずれかのセグメント導体１０が、スロット収容部６０を一本のみ有する構成（例えば、当該セグメント導体１０が径方向Ｒ視でＪ字状に形成される構成）とすることもできる。
【００６３】
（３）上記第１の実施形態では、互いに異なる第１セグメント導体１０ａ同士がスロット９１内で接合され、第１セグメント導体１０ａと第２セグメント導体１０ｂとがスロット９１内で接合され、更に、第１セグメント導体１０ａと第３セグメント導体１０ｃとがスロット９１内で接合される構成を例として説明した。しかし、そのような構成に限定されることなく、互いに異なる第１セグメント導体１０ａ同士の接合箇所６３、第１セグメント導体１０ａと第２セグメント導体１０ｂとの接合箇所６３、及び第１セグメント導体１０ａと第３セグメント導体１０ｃとの接合箇所６３のうちの少なくともいずれかの接合箇所６３が、コア９０に対して軸方向Ｌの外側に配置される構成とすることもできる。
【００６４】
（４）上記第１〜第３の実施形態では、コア９０がインナロータ型の回転電機に用いられるステータコアであり、スロット９１のそれぞれが、径方向内側Ｒ１に開口部を有する構成を例として説明した。しかし、そのような構成に限定されることなく、コア９０がアウタロータ型の回転電機に用いられるステータコアであり、スロット９１のそれぞれが、径方向外側Ｒ２に開口部を有する構成とすることもできる。
【００６５】
（５）上記第１〜第３の実施形態では、スロット９１が軸方向Ｌに平行に延びるように形成される構成を例として説明した。しかし、そのような構成に限定されることなく、１つのスロット９１の全体又は一部が軸方向Ｌに対して傾斜した方向に延びる構成とすることもできる。
【００６６】
（６）上記第１〜第３の実施形態では、セグメント導体１０を構成する線状導体として、延在方向に直交する断面の形状が矩形状の線状導体を用いる場合を例として説明した。しかし、そのような構成に限定されることなく、延在方向に直交する断面の形状が矩形状以外の形状（例えば、円形状、楕円形状、三角形状、五角形以上の多角形状等）の線状導体を、セグメント導体１０を構成する線状導体として用いることもできる。
【００６７】
（７）なお、上述した各実施形態で開示された構成は、矛盾が生じない限り、他の実施形態で開示された構成と組み合わせて適用すること（その他の実施形態として説明した実施形態同士の組み合わせを含む）も可能である。その他の構成に関しても、本明細書において開示された実施形態は全ての点で単なる例示に過ぎない。従って、本開示の趣旨を逸脱しない範囲内で、適宜、種々の改変を行うことが可能である。
【００６８】
〔上記実施形態の概要〕
以下、上記において説明したコイルの概要について説明する。
【００６９】
軸方向（Ｌ）に延びるスロット（９１）が周方向（Ｃ）に複数形成されているコア（９０）に巻装されるコイル（１）であって、前記スロット（９１）内にそれぞれ配置される複数本のスロット収容部（６０）と、互いに異なる前記スロット（９１）内に配置される一対の前記スロット収容部（６０）である第１スロット収容部（６１）と第２スロット収容部（６２）とを、前記コア（９０）に対して前記軸方向（Ｌ）の外側でそれぞれ接続する複数本の渡り部（２０）と、を備え、複数本の前記渡り部（２０）には、互いに径方向（Ｒ）に隣接する層に配置される前記第１スロット収容部（６１）と前記第２スロット収容部（６２）とを接続する第１渡り部（２０ａ）と、前記径方向（Ｒ）の最も外側（Ｒ２）の層にそれぞれ配置される前記第１スロット収容部（６１）と前記第２スロット収容部（６２）とを接続する第２渡り部（２０ｂ）と、前記コア（９０）に対して第２渡り部（２０ｂ）が配置される側とは前記軸方向（Ｌ）の反対側に配置されて、前記径方向（Ｒ）の最も内側（Ｒ１）の層にそれぞれ配置される前記第１スロット収容部（６１）と前記第２スロット収容部（６２）とを接続する第３渡り部（２０ｃ）とが含まれ、前記第１渡り部（２０ａ）は、前記第１スロット収容部（６１）に対応する前記径方向（Ｒ）の位置に配置される部分（３１）と、前記第２スロット収容部（６２）に対応する前記径方向（Ｒ）の位置に配置される部分（３２）と、を備え、前記第２渡り部（２０ｂ）は、前記第１スロット収容部（６１）に対応する前記径方向（Ｒ）の位置に配置される部分（３１）と、前記第１スロット収容部（６１）に対応する前記径方向（Ｒ）の位置及び前記第２スロット収容部（６２）に対応する前記径方向（Ｒ）の位置よりも前記径方向（Ｒ）の外側（Ｒ２）に配置される外側部分（３３）と、前記第２スロット収容部（６２）に対応する前記径方向（Ｒ）の位置に配置される部分（３２）と、を備え、前記第３渡り部（２０ｃ）は、前記第１スロット収容部（６１）に対応する前記径方向（Ｒ）の位置に配置される部分（３１）と、前記第１スロット収容部（６１）に対応する前記径方向（Ｒ）の位置及び前記第２スロット収容部（６２）に対応する前記径方向（Ｒ）の位置よりも前記径方向（Ｒ）の内側（Ｒ１）に配置される内側部分（３４）と、前記第２スロット収容部（６２）に対応する前記径方向（Ｒ）の位置に配置される部分（３２）と、を備え、前記第１渡り部（２０ａ）の少なくとも一部を有する第１セグメント導体（１０ａ）と、前記第２渡り部（２０ｂ）の少なくとも前記外側部分（３３）を有する第２セグメント導体（１０ｂ）と、前記第３渡り部（２０ｃ）の少なくとも前記内側部分（３４）を有する第３セグメント導体（１０ｃ）とを接合して構成されている。
【００７０】
上記の構成によれば、径方向（Ｒ）の最も外側（Ｒ２）の層（すなわち、最外層）にそれぞれ配置される一対のスロット収容部（６０）を接続する第２渡り部（２０ｂ）と、径方向（Ｒ）の最も内側（Ｒ１）の層（すなわち、最内層）にそれぞれ配置される一対のスロット収容部（６０）を接続する第３渡り部（２０ｃ）とが、コア（９０）に対して軸方向（Ｌ）の互いに反対側に配置される。よって、１つのスロット（９１）内において径方向（Ｒ）に並んで配置されるスロット収容部（６０）の本数が奇数のコイル（１）を実現することができる。
なお、上記の構成によれば、第２渡り部（２０ｂ）が外側部分（３３）を備えるため、複数本の第２渡り部（２０ｂ）を、互いの干渉を回避しつつそれぞれの周方向（Ｃ）の配置領域を一部重複させて配置することができる。また、第３渡り部（２０ｃ）が内側部分（３４）を備えるため、複数本の第３渡り部（２０ｃ）を、互いの干渉を回避しつつそれぞれの周方向（Ｃ）の配置領域を一部重複させて配置することができる。よって、複数本の第２渡り部（２０ｂ）及び複数本の第３渡り部（２０ｃ）を備えるコイル（１）を適切に形成することができる。
その上で、上記の構成によれば、コイル（１）が、第１渡り部（２０ａ）の少なくとも一部を有する第１セグメント導体（１０ａ）と、第２渡り部（２０ｂ）の少なくとも外側部分（３３）を有する第２セグメント導体（１０ｂ）と、第３渡り部（２０ｃ）の少なくとも内側部分（３４）を有する第３セグメント導体（１０ｃ）とを接合して構成される。すなわち、１つのスロット（９１）内において径方向（Ｒ）に並んで配置されるスロット収容部（６０）の本数が奇数のコイル（１）を適切に形成するためには、コア（９０）に対して軸方向（Ｌ）の互いに反対側に配置される外側部分（３３）と内側部分（３４）とが必要となるが、これらの外側部分（３３）と内側部分（３４）とが互いに異なるセグメント導体（１０）に設けられた構成とすることができる。よって、セグメント導体（１０）のそれぞれのコア（９０）への配置の容易性を適切に確保しつつ、上記の本数が奇数のコイル（１）を実現することができる。
以上のように、上記の構成によれば、１つのスロット（９１）内において径方向（Ｒ）に並んで配置されるスロット収容部（６０）の本数が奇数のコイル（１）を、複数のセグメント導体（１０）を用いて適切に形成することが可能となる。
【００７１】
ここで、前記第１セグメント導体（１０ａ）、前記第２セグメント導体（１０ｂ）、及び前記第３セグメント導体（１０ｃ）のそれぞれが、２本以下の前記スロット収容部（６０）を有していると好適である。
【００７２】
この構成によれば、第１セグメント導体（１０ａ）、第２セグメント導体（１０ｂ）、及び第３セグメント導体（１０ｃ）のいずれもが、スロット（９１）に対してスロット収容部（６０）を軸方向（Ｌ）に挿入可能な形状を有する。よって、スロット収容部（６０）のそれぞれのスロット（９１）内への配置の容易性を適切に確保しつつ、１つのスロット（９１）内において径方向（Ｒ）に並んで配置されるスロット収容部（６０）の本数が奇数のコイル（１）を実現することができる。
【００７３】
また、前記第１セグメント導体（１０ａ）は、前記第１渡り部（２０ａ）における前記周方向（Ｃ）に延びる周方向延在部（５０）の全体を有し、前記第２セグメント導体（１０ｂ）は、前記第２渡り部（２０ｂ）における前記周方向（Ｃ）に延びる周方向延在部（５０）の全体を有し、前記第３セグメント導体（１０ｃ）は、前記第３渡り部（２０ｃ）における前記周方向（Ｃ）に延びる周方向延在部（５０）の全体を有し、前記軸方向（Ｌ）における前記コア（９０）に対して前記第３渡り部（２０ｃ）が配置される側を軸方向第１側（Ｌ１）とし、前記軸方向第１側（Ｌ１）とは反対側を軸方向第２側（Ｌ２）として、前記コア（９０）に対して前記軸方向第１側（Ｌ１）に配置される前記第１渡り部（２０ａ）の前記周方向延在部（５０）を有する前記第１セグメント導体（１０ａ）と、前記コア（９０）に対して前記軸方向第２側（Ｌ２）に配置される前記第１渡り部（２０ａ）の前記周方向延在部（５０）を有する前記第１セグメント導体（１０ａ）とが接合され、前記コア（９０）に対して前記軸方向第１側（Ｌ１）に配置される前記第１渡り部（２０ａ）の前記周方向延在部（５０）を有する前記第１セグメント導体（１０ａ）と、前記第２セグメント導体（１０ｂ）とが接合され、前記コア（９０）に対して前記軸方向第２側（Ｌ２）に配置される前記第１渡り部（２０ａ）の前記周方向延在部（５０）を有する前記第１セグメント導体（１０ａ）と、前記第３セグメント導体（１０ｃ）とが接合されていると好適である。
【００７４】
この構成によれば、第１セグメント導体（１０ａ）、第２セグメント導体（１０ｂ）、及び第３セグメント導体（１０ｃ）の中のスロット収容部（６０）を有するセグメント導体（１０）のそれぞれに対して、スロット（９１）内へのスロット収容部（６０）の挿入後に折り曲げ等の加工を行うことなく、異なる第１セグメント導体（１０ａ）同士を接合すること、第１セグメント導体（１０ａ）と第２セグメント導体（１０ｂ）とを接合すること、及び、第１セグメント導体（１０ａ）と第３セグメント導体（１０ｃ）とを接合することが可能となる。よって、複数のセグメント導体（１０）をコア（９０）に配置して互いに接合し、コイル（１）を形成する工程の簡素化を図ることができる。
【００７５】
また、少なくとも互いに異なる前記第１セグメント導体（１０ａ）同士が、前記スロット（９１）内で接合されていると好適である。
【００７６】
この構成によれば、互いに異なる第１セグメント導体（１０ａ）同士の接合箇所（６３）を、スロット（９１）内に配置することができるため、互いに異なる第１セグメント導体（１０ａ）同士がコア（９０）に対して軸方向（Ｌ）の外側において接合される場合に比べて、コイル（１）の軸方向（Ｌ）の長さを短く抑えることが容易となる。
【００７７】
或いは、前記第１セグメント導体（１０ａ）、前記第２セグメント導体（１０ｂ）、及び前記第３セグメント導体（１０ｃ）を含むセグメント導体（１０）のそれぞれは、２本の前記スロット収容部（６０）と、前記コア（９０）に対して前記軸方向（Ｌ）の一方側である軸方向第１側（Ｌ１）に配置されて２本の前記スロット収容部（６０）を接続する前記渡り部（２０）と、２本の前記スロット収容部（６０）のそれぞれから延びて前記コア（９０）に対して前記軸方向第１側（Ｌ１）とは反対側である軸方向第２側（Ｌ２）に配置される延出部（７０）と、を有し、前記コア（９０）に対して前記軸方向第２側（Ｌ２）に配置される前記渡り部（２０）が、互いに異なる前記セグメント導体（１０）の前記延出部（７０）同士を接合して形成されていると好適である。
【００７８】
この構成によれば、第１セグメント導体（１０ａ）、第２セグメント導体（１０ｂ）、及び第３セグメント導体（１０ｃ）の間で、スロット収容部（６０）をスロット（９１）内へ配置する際のスロット（９１）に対するスロット収容部（６０）の軸方向（Ｌ）の挿入方向を共通化することができる。この結果、異なるセグメント導体（１０）同士の接合部を、コア（９０）に対して軸方向（Ｌ）の同じ側（軸方向第２側（Ｌ２））に集中させることが可能となり、複数のセグメント導体（１０）をコア（９０）に配置して互いに接合する工程の簡素化を図ることができる。
【００７９】
上記のように、前記コア（９０）に対して前記軸方向第２側（Ｌ２）に配置される前記渡り部（２０）が、互いに異なる前記セグメント導体（１０）の前記延出部（７０）同士を接合して形成される構成において、前記第２渡り部（２０ｂ）の全体が前記第２セグメント導体（１０ｂ）に含まれると共に、前記第３渡り部（２０ｃ）が、前記第１セグメント導体（１０ａ）の前記延出部（７０）と前記第３セグメント導体（１０ｃ）の前記延出部（７０）とが接合して形成されており、又は、前記第３渡り部（２０ｃ）の全体が前記第３セグメント導体（１０ｃ）に含まれると共に、前記第２渡り部（２０ｂ）が、前記第１セグメント導体（１０ａ）の前記延出部（７０）と前記第２セグメント導体（１０ｂ）の前記延出部（７０）とが接合して形成されていると好適である。
【００８０】
この構成によれば、第１セグメント導体（１０ａ）、第２セグメント導体（１０ｂ）、及び第３セグメント導体（１０ｃ）の間で、スロット収容部（６０）をスロット（９１）内へ配置する際のスロット（９１）に対するスロット収容部（６０）の軸方向（Ｌ）の挿入方向を共通化しつつ、第２渡り部（２０ｂ）及び第３渡り部（２０ｃ）の双方を適切に形成することができる。
【００８１】
上記の各構成のコイル（１）において、１つの前記スロット（９１）内において前記径方向（Ｒ）に並んで配置される前記スロット収容部（６０）の本数が、３以上の奇数であると好適である。
【００８２】
コイル（１）が用いられる装置（回転電機等）の特性を所望のものとするために、１つのスロット（９１）内において径方向（Ｒ）に並んで配置されるスロット収容部（６０）の本数を３以上の奇数とすることが望ましい場合があるが、本開示の技術によれば、このような要求を満たすコイル（１）を、複数のセグメント導体（１０）を用いて適切に形成することができる。
【００８３】
また、前記第１セグメント導体（１０ａ）、前記第２セグメント導体（１０ｂ）、及び前記第３セグメント導体（１０ｃ）のそれぞれが、延在方向に直交する断面の形状が矩形状の線状導体であると好適である。
【００８４】
この構成によれば、スロット（９１）内におけるコイル（１）の占積率を高めて、コイル（１）が用いられる装置（回転電機等）の性能向上を図ることができる。
【００８５】
本開示に係るコイルは、上述した各効果のうち、少なくとも１つを奏することができれば良い。
【符号の説明】
【００８６】
１：コイル
１０：セグメント導体
１０ａ：第１セグメント導体
１０ｂ：第２セグメント導体
１０ｃ：第３セグメント導体
２０：渡り部
２０ａ：第１渡り部
２０ｂ：第２渡り部
２０ｃ：第３渡り部
３１：第１部分（第１スロット収容部に対応する径方向の位置に配置される部分）
３２：第２部分（第２スロット収容部に対応する径方向の位置に配置される部分）
３３：外側部分
３４：内側部分
５０：周方向延在部
６０：スロット収容部
６１：第１スロット収容部
６２：第２スロット収容部
７０：延出部
９０：コア
９１：スロット
Ｃ：周方向
Ｌ：軸方向
Ｌ１：軸方向第１側
Ｌ２：軸方向第２側
Ｒ：径方向
Ｒ１：径方向内側（径方向の内側）
Ｒ２：径方向外側（径方向の外側）
【図１】
2019065460.tif 000003
【図２】
2019065460.tif 000004
【図３】
2019065460.tif 000005
【図４】
2019065460.tif 000006
【図５】
2019065460.tif 000007
【図６】
2019065460.tif 000008
【図７】
2019065460.tif 000009
【図８】
2019065460.tif 000010
【図９】
2019065460.tif 000011
【図１０】
2019065460.tif 000012
【図１１】
2019065460.tif 000013
【図１２】
2019065460.tif 000014
【図１３】
2019065460.tif 000015
【図１４】
2019065460.tif 000016
【図１５】
2019065460.tif 000017
【国際調査報告】
2019065460.tif 000018
2019065460.tif 000019
2019065460.tif 000020